(57)【要約】    【課題】  記録をしていないモニタリング時に、処理の変更を伴わないな簡単な手法で電力を低減する方法を提供することである。    【解決手段】  上記の課題を解決する為に、少なくとも記録モードと記録を行わないモニタリングモードを設け、該モードに応じて撮像素子の色分離のサイクル単位で撮像装置の映像処理部分の供給するクロックを停止または動作させるクロック停止手段を設け、モニタリングモード時の動作周波数を記録時と比べ低くすることにより電力を低減する。    【選択図】  図１
2006081210.tif 000002
【特許請求の範囲】
【請求項１】
撮像素子と該撮像素子を駆動する手段と、該撮像素子からのアナログ信号をデジタルに変換するＡＤ変換手段と、該ＡＤ変換手段からの出力に処理加工を施す映像信号処理手段と、同期信号を発生する手段からなる撮像装置において、動作モードを決めるレジスタと、該レジスタの状態に応じて該ＡＤ変換手段と、該映像信号処理手段に供給するクロックを該撮像素子の色分離の繰り返し単位で規則的に停止する手段を設けたことを特徴とする撮像装置。
【請求項２】
撮像素子と該撮像素子を駆動する手段と、該撮像素子からのアナログ信号をデジタルに変換するＡＤ変換手段と、該ＡＤ変換手段からの出力に処理加工を施す映像信号処理手段と、同期信号を発生する手段からなる撮像装置において、動作モードを決めるレジスタと、該レジスタの状態に応じて該映像信号処理手段に供給するクロックを該撮像素子の色分離の繰り返し単位で規則的に停止する手段を設けたことを特徴とする撮像装置。
【請求項３】
撮像素子と該撮像素子を駆動する手段と該撮像素子からのアナログ信号をデジタルに変換するＡＤ変換手段と、該ＡＤ変換手段からの出力に処理加工を施す映像信号処理手段と、該映像信号処理手段からの出力信号をＮＴＳＣ信号やＰＡＬ信号等に変換する変調手段と同期信号を発生する手段とからなる撮像装置において、動作モードを決めるレジスタと該レジスタの状態に応じて該ＡＤ変換手段と、該映像信号処理手段に供給するクロックを該撮像素子の色分離の繰り返し単位で規則的に停止する手段を設け、更に、該映像信号処理手段と該変調手段との間に立ち上がりエッジまたは立ち下がりエッジが一水平期間で等間隔のクロックへデータを載せかえる手段を設けたことを特徴とする撮像装置。
【請求項４】
撮像素子と該撮像素子を駆動する手段と、該撮像素子からのアナログ信号をデジタルに変換するＡＤ変換手段と、該ＡＤ変換手段からの出力に処理加工を施す映像信号処理手段と、該映像信号処理手段からの出力信号をＮＴＳＣ信号やＰＡＬ信号等に変換する変調手段と同期信号を発生する手段とからなる撮像装置において、動作モードを決めるレジスタと該レジスタの状態に応じて該映像信号処理手段に供給するクロックを該撮像素子の色分離の繰り返し単位で規則的に停止する手段を設け、更に、該映像信号処理手段と該変調手段との間に立ち上がりエッジまたは立ち下がりエッジが一水平期間で等間隔のクロックへデータを載せかえる手段を設けたことを特徴とする撮像装置。
【請求項５】
請求項１から４のいずれか１項記載の撮像装置の電力低減方法において、クロックを規則的に停止する手段には二画素単位でクロック供給及び停止を行う手段を設けていることを特徴とする撮像装置。
【発明の詳細な説明】
【技術分野】
【０００１】
記録モードとモニタリングモードとを持つ撮像装置に関し、特にその電力低減方法に関する。
【背景技術】
【０００２】
従来の技術は、ＣＣＤ撮像素子ＩＣＸ２０４ＡＫのカタログ（ＰＪ９７Ｘ０５−ＰＳ）（非特許文献１）記載のように、記録時は全画素読み出しモードで高解像度の画像の記録を実現し、モニタリング時は高速ドラフトモードで垂直方向で３ライン毎に１ライン読み出すことで実現していおり、どちらのモードも同一のクロックでＣＣＤから信号を読み出し、同一の処理で輝度及び色差信号が生成できる様に考慮されている。このため、記録時とモニタリング時とで同一クロックで画像処理がされている。
【非特許文献１】ＣＣＤ撮像素子ＩＣＸ２０４ＡＫのカタログ（ＰＪ９７Ｘ０５−ＰＳ）
【発明の開示】
【発明が解決しようとする課題】
【０００３】
上記の従来技術は、撮像装置の映像処理部分は記録時も記録を行わないモニタリング時も同一動作である為、撮像装置の電力低減には限界があった。
【０００４】
本発明の課題は、記録をしていないモニタリング時に、簡単に電力を低減する方法及び、電力低減できる撮像装置を提供することである。
【課題を解決するための手段】
【０００５】
上記の課題を解決する為に、少なくとも記録モードと記録を行わないモニタリングモードを設け、該モードに応じて撮像装置の映像処理部分の供給するクロックを２画素単位て停止または動作させるクロック停止手段を設け、モニタリングモード時の動作周波数を記録時と比べ低くする。
【０００６】
このようにすることにより、撮像装置の電力を低減することができる。
【発明の効果】
【０００７】
本発明によれば、モニタリング時に映像信号処理回路に供給するクロックを下げることにより該映像信号処理回路で消費する電力を大幅に削減することができる。また、モニタリング時においても記録時と同様に同一の順番でＡ，Ｂ，Ｃ，Ｄ全ての色情報が来るので、ほぼ同一の処理で輝度信号及び色差信号を生成することができる。また、映像信号処理回路４で生成した輝度信号及び色差信号の各データが正しい位置に再生できるクロックにデータを載せかえる事ができるので画像に歪みが生じさせることもない。
【発明を実施するための最良の形態】
【０００８】
本発明の第一の一実施例を図１及び図３を用いて説明する。図１は本発明の一実施例の構成を表す図、図３は図１の実施例を説明する為のタイミングの概要を表す図である。
【０００９】
図１の実施例は、撮像素子１、ＣＤＳ／ＡＧＣ２、Ａ／Ｄ３、映像信号処理回路４、データ乗せ換え５、ＮＴＳＣ／ＰＡＬ変調回路６、撮像素子駆動回路７、クロック生成回路８、発振器９、動作モードレジスタ１０、クロックマスク回路１１、同期信号生成回路１２、ＤＲＡＭ１３，ＣＰＵ１４，シリアルＩＦ１５から構成され、撮像素子駆動回路７で撮像素子１及びＣＤＳ／ＡＧＣ２を動作させ、撮像素子１の出力をＣＤＳ／ＡＧＣ２に接続し、 ＣＤＳ／ＡＧＣ２の出力をＡ／Ｄ３に接続し、Ａ／Ｄ３の出力を映像信号処理回路４に接続し、映像信号処理回路４から出力されるクロックとデータをそれぞれデータ乗せ換え５に接続して、データ乗せ換え５のデータ出力をＮＴＳＣ／ＰＡＬ変調回路６から出力されるクロックでＮＴＳＣ／ＰＡＬ変調回路６に入力し、同期信号生成回路１２からの同期信号を撮像素子駆動回路７と映像信号処理回路４とＮＴＳＣ／ＰＡＬ変調回路６に接続し、クロック生成回路８に接続された発振器９で作った二種類のクロックの一方を撮像素子駆動回路７に他方を撮像素子駆動回路７とクロックマスク回路１１と同期信号生成回路１２に接続し、動作モードレジスタ１０の状態によって動作するクロックマスク回路１１の二種類のクロックの一方を出力をＡ／Ｄ３と映像信号処理回路４に、他方をＮＴＳＣ／ＰＡＬ変調回路６接続され、映像信号処理回路４で生成した信号はデータバスを介してＤＲＡＭ１３やＣＰＵ１４やシリアルＩＦと受け渡しができる様に接続された構成になっている。
【００１０】
本実施例は、撮像素子１、ＣＤＳ／ＡＧＣ２、ＮＴＳＣ／ＰＡＬ変調回路６、撮像素子駆動回路７、同期信号生成回路１２をクロック生成回路８で生成した一水平期間の間連続したクロックで動作させ、映像データを記録しないモニタリング時にはＡ／Ｄ３と映像信号処理回路４を該連続したクロックを２画素単位で動作停止させたクロックで動作させ、記録時には上記の一水平期間の間連続したクロックで動作させ、記録時もモニタリング時もＮＴＳＣ／ＰＡＬ変調回路６の動作クロックにデータを乗せ換えてからＮＴＳＣやＰＡＬ等のテレビジョン信号を生成している。この動作を図３の波形を使いながら説明する。図３のタイミングチャート中の番号はデータに重心位置を表し、Ａ，Ｂ，Ｃ，Ｄはそれぞれ撮像素子１で分離された色信号を表している。
発振器９で発振させたて得たクロック１と該クロック１を２分周したクロック２をクロック生成回路８で生成し、該クロック１と２とを用い撮像素子駆動回路７で撮像素子１及びＣＤＳ／ＡＧＣ２を動作させ、該クロック２を用い同期信号生成回路１２を動作させている。クロックマスク回路１１では動作モードレジスタ１０の状態によって該クロック２とクロック３のどちらかを出力し、この出力クロックによりＡＤ３及び映像信号処理回路４が動作する。
クロック３はモニタリング時のクロックで撮像素子１の色分離フィルタの繰り返しサイクル単位で動作及び停止を規則的に繰り返している。本実施例では２画素単位で動作及び停止を繰り返し撮像素子１の半分の画素に対して映像信号の処理を施している。クロック２は記録時のクロックで撮像素子１の全画素に対して映像信号の処理を施している。クロック２で動作させた場合のＡＤ３の出力を図３の記録時のＡＤ出力データに、クロック３動作させた場合のＡＤ３の出力を図３のモニタリング時のＡＤ出力データに示す。
該ＡＤ出力データから映像信号処理回路４で輝度及び色差信号を生成し、モニタリング時はクロックマスク回路１１からＮＴＳＣ／ＰＡＬ変調回路６に供給したクロック５にデータ乗せ換え回路５で該輝度及び色差信号を乗せ換えＮＴＳＣやＰＡＬ信号を生成している。
【００１１】
記録時はクロックマスク回路１１からＮＴＳＣ／ＰＡＬ変調回路６に供給したクロック６にデータ乗せ換え回路５で該輝度及び色差信号を乗せ換えＮＴＳＣやＰＡＬ信号を生成している。
【００１２】
モニタリング時は、水平解像度が半分になるものの映像信号処理回路４で消費される電力を半分にすることができる。また、撮像素子１の色分離フィルタの繰り返しサイクルで動作停止することにより、連続クロックの時と同一の順番でＡ，Ｂ，Ｃ，Ｄ全ての色情報が来るので、ほぼ同一の処理で輝度信号及び色差信号を生成することができる。また、映像信号処理回路４で生成した輝度信号及び色差信号の各データが正しい位置に再生できるクロックにデータを載せかえる事ができるので画像に歪みが生じさせることもなく電力を低減することができる。
本発明の第二の実施例を図２を用いて説明する。本実施例は図１の実施例において、ＡＤ３に供給するクロックをクロックマスク回路の出力から入力に変えモニタリング時のデータ間引きを映像信号処理回路４の入力で行った一例である。本実施例は第一の実施例と本質的に等しく同一の効果が得られる。
【図面の簡単な説明】
【００１３】
【図１】本発明の一実施例である撮像装置のブロック図。
【図２】本発明の一実施例である撮像装置のブロック図。
【図３】本発明のタイミングチャートを表わした一実施例の波形図。
【符号の説明】
【００１４】
１…撮像素子、２…ＣＤＳ／ＡＧＣ回路、３…Ａ／Ｄ回路、４…映像信号処理回路、５…データ乗せ換え回路、６…ＮＴＳＣ／ＰＡＬ変調回路、７…撮像素子駆動回路、８…クロック生成回路、９…発振器、１０…動作モードレジスタ、１１…クロックマスク回路、１２…同期信号生成回路、１３…ＤＲＡＭ、１４…ＣＰＵ、１５…シリアルＩＦ。
【図１】
2006081210.tif 000003
【図２】
2006081210.tif 000004
【図３】
2006081210.tif 000005
【手続補正書】
【提出日】平成17年12月19日(2005.12.19)
【手続補正１】
【補正対象書類名】特許請求の範囲
【補正対象項目名】全文
【補正方法】変更
【補正の内容】
【特許請求の範囲】
【請求項１】
モニタリングモードと記録モードを有する撮像装置であって、
撮像素子と、
該撮像素子を駆動する駆動手段と、
該撮像素子からのアナログ信号をデジタル信号に変換するＡＤ変換手段と、
該ＡＤ変換手段からのデジタル信号に映像信号処理を施す映像信号処理手段と、
該駆動手段と該ＡＤ変換手段と該映像信号処理手段とにクロックを供給するクロック手段と、
を備え、
モニタリングモード時は、該ＡＤ変換手段と該映像信号処理手段のクロックを記録モード時よりも低くし、該映像信号処理手段が、記録モード時よりも少ない画素数のデジタル信号に映像信号処理を施すこと、
を特徴とする撮像装置。
【請求項２】
請求項１において、
記録モード時は、一水平期間の間連続したクロックで動作させ、モニタリングモード時は、一水平期間の間連続したクロックに対し該撮像素子の色分離の繰り返し単位で規則的に供給及び停止を繰り返すクロックで動作させることにより、モニタリングモード時は、該ＡＤ変換手段と該映像信号処理手段のクロックを記録モード時よりも低くすること、
を特徴とする撮像装置。
【請求項３】
請求項１または２において、
該映像信号処理手段は、モニタリングモード時に、該ＡＤ変換手段によりデータ間引きされ、記録モード時よりも少なくなった画素数のデジタル信号に映像信号処理を施すこと、
を特徴とする撮像装置。
【請求項４】
モニタリングモードと記録モードを有する撮像装置であって、
撮像素子と、
該撮像素子を駆動する駆動手段と、
該撮像素子からのアナログ信号をデジタル信号に変換するＡＤ変換手段と、
該ＡＤ変換手段からのデジタル信号に映像信号処理を施す映像信号処理手段と、
該駆動手段と該ＡＤ変換手段と該映像信号処理手段とにクロックを供給するクロック手段と、
を備え、
モニタリングモード時は、該ＡＤ変換手段のクロックを記録モード時よりも低くし、該映像信号処理手段が、記録モード時よりも少ない画素数のデジタル信号に映像信号処理を施すこと、
を特徴とする撮像装置。
【請求項５】
請求項４において、
記録モード時は、一水平期間の間連続したクロックで動作させ、モニタリングモード時は、一水平期間の間連続したクロックに対し該撮像素子の色分離の繰り返し単位で規則的に供給及び停止を繰り返すクロックで動作させることにより、モニタリングモード時は、該ＡＤ変換手段のクロックを記録モード時よりも低くすること、
を特徴とする撮像装置。
【請求項６】
請求項４または５において、
該映像信号処理手段は、モニタリングモード時に、該ＡＤ変換手段によりデータ間引きされ、記録モード時よりも少なくなった画素数のデジタル信号に映像信号処理を施すこと、
を特徴とする撮像装置。
【請求項７】
モニタリングモードと記録モードを有する撮像装置であって、
撮像素子と、
該撮像素子を駆動する駆動手段と、
該撮像素子からのアナログ信号をデジタル信号に変換するＡＤ変換手段と、
該ＡＤ変換手段からのデジタル信号に映像信号処理を施す映像信号処理手段と、
該駆動手段と該ＡＤ変換手段と該映像信号処理手段とにクロックを供給するクロック手段と、
を備え、
モニタリングモード時は、該映像信号処理手段のクロックを記録モード時よりも低くし、該映像信号処理手段が、記録モード時よりも少ない画素数のデジタル信号に映像信号処理を施すこと、
を特徴とする撮像装置。
【請求項８】
請求項７において、
記録モード時は、一水平期間の間連続したクロックで動作させ、モニタリングモード時は、一水平期間の間連続したクロックに対し該撮像素子の色分離の繰り返し単位で規則的に供給及び停止を繰り返すクロックで動作させることにより、モニタリングモード時は、該映像信号処理手段のクロックを記録モード時よりも低くすること、
を特徴とする撮像装置。
【請求項９】
請求項７または８において、
該映像信号処理手段は、モニタリングモード時に、該映像信号処理手段の入力においてデータ間引きされ、記録モード時よりも少なくなった画素数のデジタル信号に映像信号処理を施すこと、
を特徴とする撮像装置。
【請求項１０】
請求項１ないし９のいずれかにおいて、
該映像信号処理手段は、モニタリングモード時に、記録モード時の半分の画素数のデジタル信号に映像信号処理を施すこと、
を特徴とする撮像装置。
【請求項１１】
請求項１０において、
モニタリングモード時は、一水平期間の間連続したクロックに対し二画素単位で供給及び停止を繰り返すクロックで、該ＡＤ変換手段及び又は該映像信号処理手段を動作させること、
を特徴とする撮像装置。
【請求項１２】
請求項１ないし１１のいずれかにおいて、
該映像信号処理手段から出力される信号に対し、立ち上がりエッジまたは立ち下がりエッジが一水平期間で等間隔のクロックへデータを載せかえる手段を備えること、
を特徴とする撮像装置。
【請求項１３】
請求項１ないし１２のいずれかにおいて、
モニタリングモード時は、該映像信号処理手段が、記録モード時よりも少ない画素数のデジタル信号に映像信号処理を施すことにより、水平解像度が低くなるものの該映像信号処理手段で消費される電力を少なくすることができること、
を特徴とする撮像装置。
【請求項１４】
モニタリングモードと記録モードを有する撮像装置であって、
撮像素子と、
該撮像素子を駆動する駆動手段と、
該撮像素子から出力された信号に映像信号処理を施す映像信号処理手段と、
該駆動手段と該映像信号処理手段にクロックを供給するクロック手段と、
を備え、
該映像信号処理手段は、モニタリングモード時に、該映像信号処理手段の入力においてデータ間引きをし、記録モード時よりも低いクロックで、記録モード時よりも少ない画素数のデジタル信号に映像信号処理を施すこと、
を特徴とする撮像装置。
【請求項１５】
モニタリングモードと記録モードを有する撮像装置であって、
撮像素子と、
記録モード時は、一水平期間の間連続したクロックで、該撮像素子の全画素の信号に対して映像信号処理を施し、モニタリングモード時は、該撮像素子の出力信号をデータ間引きし、一水平期間の間連続したクロックに対し該撮像素子の色分離の繰り返し単位で規則的に供給及び停止を繰り返すクロックで、記録モード時よりも少ない画素数の信号に映像信号処理を施す映像信号処理手段と、
を備えることを特徴とする撮像装置。
【請求項１６】
モニタリングモードと記録モードを有する撮像装置であって、モニタリングモード時は記録モード時よりも低いクロックで映像信号処理をし、水平解像度が低くなるものの該映像信号処理で消費される電力を少なくすることができることを特徴とする撮像装置。